(57)【要約】【課題】本発明は、操作が容易な電気コネクタ及びその組立体を提供することを目的とする。【解決手段】本発明の電気コネクタは、基部と、前記基部に固着される複数の端子と、前記基部を遮蔽し、接続区域が設けられるシェルと、前記シェルに収納されるＬＥＤと、前記ＬＥＤを制御する制御チップと、前記制御チップ及び接続区域の間に接続される電気接続部材と、を備える。前記接続区域が使用者に接触された場合、前記電気接続部材によって、制御チップが接続され、ＬＥＤが発光する。【選択図】図１
2017063029.tif 000002
【特許請求の範囲】
【請求項１】
基部と、
前記基部に固着される複数の端子と、
前記基部を遮蔽し、接続区域が設けられるシェルと、
前記シェルに収納されるＬＥＤと、
前記ＬＥＤを制御する制御チップと、
前記制御チップ及び接続区域の間に接続される電気接続部材と、
を備え、前記接続区域が使用者に接触された場合、前記電気接続部材によって、制御チップが接続され、ＬＥＤが発光することを特徴とする電気コネクタ。
【請求項２】
前記電気コネクタには、前記シェルに収納され、且つ前記端子及びケーブルの間に接続される第１回路基板が配置されることを特徴とする請求項１に記載の電気コネクタ。
【請求項３】
前記電気コネクタは、前記基部及び第１回路基板を遮蔽する金属部材を備えることを特徴とする請求項２に記載の電気コネクタ。
【請求項４】
前記電気コネクタには、前記シェルに収納される第２回路基板が配置され、前記制御チップ及びＬＥＤが、前記第２回路基板に配置されることを特徴とする請求項３に記載の電気コネクタ。
【請求項５】
前記電気接続部材は、金属から製造される弾力片に形成され、前記電気接続部材の一端が前記制御チップに電気接続され、他の一端が前記シェルの接続区域の内壁に当接することを特徴とする請求項１或いは請求項４に記載の電気コネクタ。
【請求項６】
前記第２回路基板が前記第１回路基板と平行に配置され、前記ＬＥＤ及び電気接続部材が、前記第２回路基板の上表面に配置され、前記第１回路基板が前記第２回路基板の下方に配置されることを特徴とする請求項４に記載の電気コネクタ。
【請求項７】
前記金属部材が、互いに係合し、前記基部及び第１回路基板を収納する第１部材及び第２部材を含み、前記第１部材及び第２部材の後端にはそれぞれ、互いに平行な第１固定部及び第２固定部が設けられ、前記第２回路基板が前記第１固定部及び第２固定部の間に挟まれることを特徴とする請求項６に記載の電気コネクタ。
【請求項８】
前記第２回路基板が、前記ケーブルのパワー線と接続し、前記第１回路基板の接地線と電気接続することを特徴とする請求項７に記載の電気コネクタ。
【請求項９】
第１コネクタと、第２コネクタと、前記第１コネクタ及び第２コネクタの間に連接されるケーブルと、を備える電気コネクタ組立体において、前記第１コネクタが、
基部と、
前記基部に固着される複数の第１端子と、
前記基部を遮蔽し、接続区域が設けられるシェルと、
前記シェルに収納されるＬＥＤと、
前記ＬＥＤを制御する制御チップと、
前記制御チップ及び接続区域の間に接続される電気接続部材と、
を備え、
前記接続区域が使用者に接触された場合、前記電気接続部材によって、制御チップが接続され、ＬＥＤが発光し、第１コネクタを照らすことを特徴とする電気コネクタ組立体。
【発明の詳細な説明】
【技術分野】
【０００１】
本発明は、電気コネクタに関し、特に、データを伝送可能な電気コネクタタ及びその組立体に関するものである。
【背景技術】
【０００２】
従来のプラグコネクタは、回路基板と、前記回路基板に固定されるＬＥＤ（ＬｉｇｈｔＥｍｉｔｔｉｎｇ  Ｄｉｏｄｅ）と、前記ＬＥＤの前に固定される導光部材と、前記ＬＥＤを制御できるスイッチと、を備える。
【０００３】
前記スイッチを使用し、前記ＬＥＤを制御する。このような操作は難しい。
【先行技術文献】
【特許文献】
【０００４】
【特許文献１】米国特許第９０２２６０５号公報
【発明の概要】
【発明が解決しようとする課題】
【０００５】
そこで、本発明の目的は、操作が容易な電気コネクタ及びその組立体を提供することにある。
【課題を解決するための手段】
【０００６】
前記目的を達成するために、本発明の電気コネクタは、基部と、前記基部に固着される複数の端子と、前記基部を遮蔽し、接続区域が設けられるシェルと、前記シェルに収納されるＬＥＤと、前記ＬＥＤを制御する制御チップと、前記制御チップ及び接続区域の間に接続される電気接続部材と、を備える。前記接続区域が使用者に接触された場合、前記電気接続部材によって、制御チップが接続され、ＬＥＤが発光する。
【発明の効果】
【０００７】
従来の技術と比べると、本発明は以下の長所を有する。使用者が、前記シェルに接触する場合、ＬＥＤが発光する。前記電気コネクタの使用が容易である。
【図面の簡単な説明】
【０００８】
【図１】本発明の電気コネクタ組立体の組立斜視図である。
【図２】図１に示す電気コネクタ組立体の第１コネクタ及びケーブルの部分の分解斜視図である。
【図３】図２に示す第１コネクタ及びケーブルの部分の分解斜視図である。
【図４】図３に示す第１コネクタ及びケーブルの更の部分の分解斜視図である。
【図５】図４を別の角度から見た分解斜視図である。
【図６】図２に示す第１コネクタ及びケーブルの分解斜視図である。
【図７】図６を別の角度から見た分解斜視図である。
【発明を実施するための形態】
【０００９】
図１に示すように、本発明の電気コネクタ組立体１００は、第１コネクタ１０と、第２コネクタ２０と、第１コネクタ１０及び第２コネクタ２０の間に連接されるケーブル３０と、を備える。
【００１０】
図２〜図７に示すように、前記第１コネクタ１０は、基部１１と、前記基部１１に固着される複数の端子１２と、前記基部１１の後端に取り付けられる第１回路基板１３と、前記基部１１及び第１回路基板１３を装入する金属部材１４と、前記ケーブル３０と第１回路基板１３とを電気接続する第２回路基板１５と、標示部材１６と、金属シェル１７と、を備える。
【００１１】
図４〜図７に示すように、前記金属部材１４は、第１部材１４１と、第２部材１４２と、を備える。第１部材１４１は、対向して配置される一対の第１係合部１４１１と、前記一対の第１係合部１４１１を連接する第１連接部１４１２と、前記第１連接部１４１２から後向きに延在する第１固定部１４１３と、前記第１固定部１４１３から内側に折り曲られて後向きに延在する第１保持部１４１４と、を備える。
【００１２】
第２部材１４２は、対向して配置される一対の第２係合部１４２１と、前記一対の第２係合部１４２１を連接する第２連接部１４２２と、前記第２連接部１４２２から後向きに延在する第２固定部１４２３と、前記第２固定部１４２３から後向きに延在する叉状の第２保持部１４２４と、を備える。前記第１部材１４１の第１係合部１４１１と、第１連接部１４１２と、前記第２部材１４２の第２係合部１４２１と、第２連接部１４２２と、が前記基部１１及び第１回路基板１３を収納するための収納孔１４０を形成する。第２回路基板１５が前記第１部材１４１の第１固定部１４１３と、第２部材１４２の第２固定部１４２３と、の間に挟まれる。
【００１３】
前記ケーブル３０が複数の線を有する。前記ケーブル３０は、前記第１コネクタ１０と電気接続するリリース部３１と、前記リリース部３１の前端から延在する係止部３２と、を備える。前記複数の線は、前記係止部３２の前端から延出し、第１回路基板１３及び第２回路基板１５と電気接続する。前記第１保持部１４１４及び第２保持部１４２４は、互いに係合し、前記複数の線を固定する。前記第２回路基板１５は、前記ケーブル３０のパワー線及び第１回路基板１３の接地線と電気接続する。
【００１４】
図６及び図７に示すように、前記第２回路基板１５には、制御チップ１５０と、前記制御チップ１５０と電気接続されるＬＥＤ１５１と、金属材料によって弾力片のように成型される電気接続部材１５２と、が配置される。前記第２回路基板１５の下表面には、前記制御チップ１５０が配置される。前記第２回路基板１５の上表面には、前記ＬＥＤ１５１と電気接続部材１５２とが配置される。前記電気接続部材１５２は、前記第２回路基板１５に半田接続される半田接続部１５２１と、前記半田接続部１５２１から上向きに傾斜する弾力ビーム１５２２と、前記弾力ビーム１５２２に設けられる接触部１５２３と、を備える。
【００１５】
図２〜図７に示すように、前記シェル１７は、内シェル１７１と、外シェル１７２と、を備える。前記内シェル１７１は、前端部１７１１と、前記前端部１７１１から後向きに延在する片状の収納部１７１２と、を備える。前記前端部１７１１には、貫通孔１７１３が形成される。前記収納部１７１２には、収納孔１７１４が形成される。前記前端部１７１１は、透明な材料から製造される。前記外シェル１７２は、第１端部１７２１及び第２端部１７２２を備える。前記第２端部１７２２には、保持孔１７２４が形成される後端面１７２３が設けられる。
【００１６】
図１〜図３に示すように、前記ケーブル３０のリリース部３１が、前記保持孔１７２４から延出し、前記係止部３２の後端面が、前記外シェル１７２の後端面１７２３に当接する。前記外シェル１７２の第１端部１７２１が、前記内シェル１７１の前端部１７１１に取り付けられる。前記内シェル１７１の前端部１７１１が、前記外シェル１７２の第１端部１７２１から露出される。前記標示部材１６が、前記外シェル１７の外表面に粘着される。前記外シェル１７の内壁面には、前記標示部材１６と対応する部分に接続区域が設けられる。前記電気接続部材１５２の接触部１５２３は、前記外シェル１７２の内壁の接続区域に当接する。弾力ビーム１５２２が、弾性変形する。
【００１７】
使用者が、前記接続区域に接触する場合、前記電気接続部材１５２によって、前記外シェル１７２の接続区域及び第２回路基板１５の制御チップ１５０が接続され、ＬＥＤ１５１が発光する。前記ＬＥＤ１５１が第１コネクタ１０の上表面に設置される。前記ＬＥＤ１５１から発生される光は、前記シェル１７の前端部１７１１を通し、第１コネクタ１０の前端区域を照らす。
【００１８】
使用者が、前記外シェル１７２に接触する場合、ＬＥＤ１５１が発光する。前記電気コネクタ組立体１００の使用が容易である。
【符号の説明】
【００１９】
１００  電気コネクタ組立体
１０  第１コネクタ
１１  基部
１２  端子
１３  第１回路基板
１４  金属部材
１４０  収納孔
１４１  第１部材
１４１１  第１係合部
１４１２  第１連接部
１４１３  第１固定部
１４１４  第１保持部
１４２  第２部材
１４２１  第２係合部
１４２２  第２連接部
１４２３  第２固定部
１４２４  第２保持部
１５  第２回路基板
１５０  制御チップ
１５１  ＬＥＤ
１５２  電気接続部材
１５２１  半田接続部
１５２２  弾力ビーム
１５２３  接触部
１６  標示部材
１７  シェル
１７１  内シェル
１７１１  前端部
１７１２  収納部
１７１３  貫通孔
１７１４  収納孔
１７２  外シェル
１７２１  第１端部
１７２２  第２端部
１７２３  後端部
１７２４  保持孔
２０  第２コネクタ
３０  ケーブル
３１  リリース部
３２  係止部
【図１】
2017063029.tif 000003
【図２】
2017063029.tif 000004
【図３】
2017063029.tif 000005
【図４】
2017063029.tif 000006
【図５】
2017063029.tif 000007
【図６】
2017063029.tif 000008
【図７】
2017063029.tif 000009